(57)【要約】【課題】本発明は、作業者が予め表示装置に対して作業を行わずに、表示装置の設置位置に応じた情報をユーザに提供することを目的とする。【解決手段】本発明に係る制御システムは、携帯端末と表示装置とサーバとを備える制御システムであって、携帯端末は、表示装置に表示された、表示装置を識別するための識別用画像を撮影し、撮影された識別用画像に基づいて表示装置識別情報を取得し、表示装置識別情報を取得した時の携帯端末の位置情報を取得し、取得した表示装置識別情報及び携帯端末の位置情報をサーバに送信し、サーバは、携帯端末から受信した位置情報に基づいて、複数のエリア情報から位置情報に対応するエリア情報を特定し、特定されたエリア情報に対応する表示情報を抽出し、抽出した表示情報を、表示装置識別情報によって識別される表示装置に送信し、表示装置は受信した表示情報を表示する。【選択図】図１
2020013356.tif 000002
【特許請求の範囲】
【請求項１】
携帯端末と表示装置とサーバとを備える制御システムであって、
前記表示装置は、識別用画像を表示する表示部を備え、
前記携帯端末は、
前記識別用画像に基づいて表示装置識別情報を取得する画像取得部と、
前記表示装置識別情報を取得した時の位置情報を取得する位置取得部と、
前記表示装置識別情報及び位置情報を、前記サーバに送信する端末送信部と、を備え、
前記サーバは、
前記携帯端末から、前記表示装置識別情報及び前記位置情報を受信するサーバ受信部と、
複数のエリア情報と、前記複数のエリア情報のそれぞれに関連付けられた表示情報とを記憶するサーバ記憶部と、
前記位置情報に対応するエリア情報に関連付けられた表示情報を抽出する抽出部と、
前記表示情報を前記表示装置に送信するサーバ送信部と、を備える
ことを特徴とする制御システム。
【請求項２】
前記表示装置は、前記表示装置識別情報を前記サーバに送信するための送信部を備え、
前記サーバ受信部は、前記表示装置から前記表示装置識別情報を受信し、
前記サーバは、前記表示装置識別情報に基づいて、識別用画像を表示するための識別用画像データを生成する生成部を備え、
前記サーバ送信部は、前記識別用画像データを前記表示装置に送信し、
前記表示部は、前記識別用画像データに基づいて前記識別用画像を表示する、請求項１に記載の制御システム。
【請求項３】
前記サーバ送信部は、前記表示情報を前記表示装置に送信するとともに、前記表示装置を制御するための制御オブジェクトを含む制御画面を表示するための制御画面表示情報を前記携帯端末に送信し、
前記表示部は、前記制御画面表示情報に基づいて前記制御画面を表示し、
前記端末送信部は、前記制御画面に含まれる前記制御オブジェクトがユーザによって選択された場合、前記制御オブジェクトの選択を示す選択情報を前記サーバに送信し、
前記サーバ送信部は、
前記選択情報を受信した時に、前記表示装置識別情報及び前記位置情報を受信した受信時刻から所定時間が経過していない場合、前記表示装置を制御するための制御情報を前記表示装置に送信し、
前記選択情報を受信した時に、受信時刻から所定時間が経過している場合、前記制御情報を前記表示装置に送信しない、請求項１又は２に記載の制御システム。
【請求項４】
前記サーバ記憶部は、前記携帯端末の種別ごとに、それぞれ異なる前記制御画面を表示するための前記制御画面表示情報を記憶し、
前記端末送信部は、前記携帯端末の種別情報を送信し、
前記サーバ送信部は、前記携帯端末の前記種別情報に対応する前記制御画面を表示するための前記制御画面表示情報を、前記携帯端末に送信する、請求項３に記載の制御システム。
【請求項５】
携帯端末と、表示部を備える表示装置と、サーバ記憶部を備えるサーバとを備える制御システムにおける制御方法であって、
前記サーバは、複数のエリア情報と、前記複数のエリア情報のそれぞれに関連付けられた表示情報とを前記サーバ記憶部に記憶し、
前記表示装置は、識別用画像を前記表示部に表示し、
前記携帯端末は、
前記識別用画像に基づいて表示装置識別情報を取得し、
前記表示装置識別情報を取得した時の位置情報を取得し、
前記表示装置識別情報及び前記携帯端末の位置情報を、前記サーバに送信し、
前記サーバは、
前記携帯端末から、前記表示装置識別情報及び前記位置情報を受信し、
前記位置情報に対応するエリア情報に関連付けられた表示情報を抽出し、
前記表示情報を前記表示装置に送信する、
ことを含むことを特徴とする制御方法。
【請求項６】
携帯端末及び表示装置と通信可能なサーバであって、
複数のエリア情報と、前記複数のエリア情報のそれぞれに関連付けられた表示情報とを記憶するサーバ記憶部と、
前記表示装置に表示された識別用画像に基づいて取得された表示装置識別情報、及び、前記表示装置識別情報を取得した時の位置情報を、前記携帯端末から受信するサーバ受信部と、
前記位置情報に対応するエリア情報に関連付けられた表示情報を抽出する抽出部と、
前記表示情報を前記表示装置に送信するサーバ受信部と、
を備えることを特徴とするサーバ。
【請求項７】
複数のエリア情報と、前記複数のエリア情報のそれぞれに関連付けられた表示情報とを記憶するサーバ記憶部を備え、携帯端末及び表示装置と通信可能なサーバの制御方法であって、
前記表示装置に表示された識別用画像に基づいて取得された表示装置識別情報、及び、前記表示装置識別情報を取得した時の位置情報を、前記携帯端末から受信し、
前記位置情報に対応するエリア情報に関連付けられた表示情報を抽出し、
前記表示情報を前記表示装置に送信する、
ことを含むことを特徴とする制御方法。
【請求項８】
複数のエリア情報と、前記複数のエリア情報のそれぞれに関連付けられた表示情報とを記憶するサーバ記憶部を備え、携帯端末及び表示装置と通信可能なサーバの制御プログラムであって、
前記表示装置に表示された識別用画像に基づいて取得された表示装置識別情報、及び、前記表示装置識別情報を取得した時の位置情報を、前記携帯端末から受信し、
前記位置情報に対応するエリア情報に関連付けられた表示情報を抽出し、
前記表示情報を前記表示装置に送信する、
ことを前記サーバに実行させるための制御プログラム。
【発明の詳細な説明】
【技術分野】
【０００１】
本発明は、制御システム、制御方法、サーバ及び制御プログラムに関する。
【背景技術】
【０００２】
近年、サーバが、テレビ放送に関連する情報を、インターネットを介してテレビ受像機に送信し、テレビ受像機が、受信した情報とテレビ放送とを連動させて表示するハイブリッドキャスト（Ｈｙｂｒｉｄｃａｓｔ（登録商標））と呼ばれるサービスが知られている。
【０００３】
例えば、特許文献１には、番組コンテンツの映像を表示するとともに、各種のアプリケーションプログラムを実行することができるテレビ受像機について記載されている。このテレビ受像機は、放送局から受信した番組コンテンツの映像、及び、サービスサーバから受信したアプリケーションプログラムに対応する映像を合成して表示する。これにより、テレビ受像機は、番組コンテンツに多重化されるデータ放送とは異なる多様な情報をサーバから取得し、番組コンテンツの映像と多様な情報とを連携させてユーザに提供することができる。
【先行技術文献】
【特許文献】
【０００４】
【特許文献１】特開２０１２−２４４３８６号公報
【発明の概要】
【発明が解決しようとする課題】
【０００５】
しかしながら、従来のシステムでは、サーバがエリアごとに異なる情報を提供する場合、テレビ受像機等の表示装置に対して、当該表示装置の設置位置のエリアに関する情報を登録する必要があった。例えば、ホテルの客室に設置された表示装置に、ホテルの立地エリアに対応した情報を提供するためには、作業者は、ホテル内の全ての表示装置に対して登録作業を実施しなければならなかった。
【０００６】
本発明は、このような課題を解決すべくなされたものであり、ユーザの位置に応じた情報を、表示装置を介してユーザに提供することを可能とする制御システム、制御方法、サーバ及びプログラムを提供することを目的とする。
【課題を解決するための手段】
【０００７】
本発明に係る制御システムは、携帯端末と表示装置とサーバとを備える制御システムであって、表示装置は、識別用画像を表示する表示部を備え、携帯端末は、識別用画像に基づいて表示装置識別情報を取得する画像取得部と、表示装置識別情報を取得した時の位置情報を取得する位置取得部と、表示装置識別情報及び位置情報を、サーバに送信する端末送信部と、を備え、サーバは、携帯端末から、表示装置識別情報及び位置情報を受信するサーバ受信部と、複数のエリア情報と、複数のエリア情報のそれぞれに関連付けられた表示情報とを記憶するサーバ記憶部と、位置情報に対応するエリア情報に関連付けられた表示情報を抽出する抽出部と、表示情報を表示装置に送信するサーバ送信部と、を備える。
【０００８】
また、本発明に係る制御システムにおいて、表示装置は、表示装置識別情報をサーバに送信するための送信部を備え、サーバ受信部は、表示装置から表示装置識別情報を受信し、サーバは、表示装置識別情報に基づいて、識別用画像を表示するための識別用画像データを生成する生成部を備え、サーバ送信部は、識別用画像データを表示装置に送信し、表示部は、識別用画像データに基づいて識別用画像を表示することが好ましい。
【０００９】
また、本発明に係る制御システムにおいて、サーバ送信部は、表示情報を表示装置に送信するとともに、表示装置を制御するための制御オブジェクトを含む制御画面を表示するための制御画面表示情報を携帯端末に送信し、表示部は、制御画面表示情報に基づいて制御画面を表示し、端末送信部は、制御画面に含まれる制御オブジェクトがユーザによって選択された場合、制御オブジェクトの選択を示す選択情報をサーバに送信し、サーバ送信部は、選択情報を受信した時に、表示装置識別情報及び位置情報を受信した受信時刻から所定時間が経過していない場合、表示装置を制御するための制御情報を表示装置に送信し、選択情報を受信した時に、受信時刻から所定時間が経過している場合、制御情報を表示装置に送信ないことが好ましい。
【００１０】
また、本発明に係る制御システムにおいて、サーバ記憶部は、携帯端末の種別ごとに、それぞれ異なる制御画面を表示するための制御画面表示情報を記憶し、端末送信部は、携帯端末の種別情報を送信し、サーバ送信部は、携帯端末の種別情報に対応する制御画面を表示するための制御画面表示情報を、携帯端末に送信することが好ましい。
【００１１】
本発明に係る制御方法は、携帯端末と、表示部を備える表示装置と、サーバ記憶部を備えるサーバとを備える制御システムにおける制御方法であって、サーバは、複数のエリア情報と、複数のエリア情報のそれぞれに関連付けられた表示情報とをサーバ記憶部に記憶し、表示装置は、識別用画像を表示部に表示し、携帯端末は、識別用画像に基づいて表示装置識別情報を取得し、表示装置識別情報を取得した時の位置情報を取得し、表示装置識別情報及び携帯端末の位置情報を、サーバに送信し、サーバは、携帯端末から、表示装置識別情報及び位置情報を受信し、位置情報に対応するエリア情報に関連付けられた表示情報を抽出し、表示情報を表示装置に送信する、ことを含む。
【００１２】
本発明に係るサーバは、携帯端末及び表示装置と通信可能なサーバであって、複数のエリア情報と、複数のエリア情報のそれぞれに関連付けられた表示情報とを記憶するサーバ記憶部と、表示装置に表示された識別用画像に基づいて取得された表示装置識別情報、及び、表示装置識別情報を取得した時の位置情報を、携帯端末から受信するサーバ受信部と、位置情報に対応するエリア情報に関連付けられた表示情報を抽出する抽出部と、表示情報を表示装置に送信するサーバ受信部と、を備える。
【００１３】
本発明に係る制御方法は、複数のエリア情報と、複数のエリア情報のそれぞれに関連付けられた表示情報とを記憶するサーバ記憶部を備え、携帯端末及び表示装置と通信可能なサーバの制御方法であって、表示装置に表示された識別用画像に基づいて取得された表示装置識別情報、及び、表示装置識別情報を取得した時の位置情報を、携帯端末から受信し、位置情報に対応するエリア情報に関連付けられた表示情報を抽出し、表示情報を表示装置に送信する、ことを含む。
【００１４】
本発明に係る制御プログラムは、複数のエリア情報と、複数のエリア情報のそれぞれに関連付けられた表示情報とを記憶するサーバ記憶部を備え、携帯端末及び表示装置と通信可能なサーバの制御プログラムであって、表示装置に表示された識別用画像に基づいて取得された表示装置識別情報、及び、表示装置識別情報を取得した時の位置情報を、携帯端末から受信し、位置情報に対応するエリア情報に関連付けられた表示情報を抽出し、表示情報を表示装置に送信する、ことをサーバに実行させる。
【発明の効果】
【００１５】
本発明に係る制御システム、制御方法、サーバ及び制御プログラムによって、ユーザの位置に応じた情報を、表示装置を介してユーザに提供することが可能となる。
【図面の簡単な説明】
【００１６】
【図１】制御システム１の概略を説明するための模式図である。
【図２】制御システム１の概略構成の一例を示す図である。
【図３】携帯端末２の概略構成の一例を示す図である。
【図４】表示装置３の概略構成の一例を示す図である。
【図５】サーバ４の概略構成の一例を示す図である。
【図６】各種テーブルのデータ構造の一例を示す図である。
【図７】各種画面の他の一例を示す図である。
【図８】制御処理の動作シーケンスの一例を示すシーケンス図である。
【発明を実施するための形態】
【００１７】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００１８】
図１は、制御システム１の概略を説明するための模式図である。
【００１９】
制御システム１は、携帯端末２と表示装置３とサーバ４とを備える。サーバ４は、携帯端末２及び表示装置３とネットワークを介して通信可能に接続される。
【００２０】
携帯端末２は、例えば、ユーザによって所有される、多機能携帯電話（スマートフォン）等の端末装置である。携帯端末２は、携帯電話（所謂「フィーチャーフォン」）、携帯情報端末（Ｐｅｒｓｏｎａｌ  Ｄｉｇｉｔａｌ  Ａｓｓｉｓｔａｎｔ，ＰＤＡ）、タブレット端末又はタブレットＰＣ（Ｐｅｒｓｏｎａｌ  Ｃｏｍｐｕｔｅｒ）等でもよい。携帯端末２は、携帯ゲーム機、携帯音楽プレイヤ又はノートＰＣ等でもよい。
【００２１】
携帯端末２は、ＨＴＭＬ５（ＨｙｐｅｒＴｅｘｔ  Ｍａｒｋｕｐ  Ｌａｎｇｕａｇｅ  ５）等で記述された文字データ又は図形画像データを受信した場合、受信した文字データ又は図形画像データに基づいて文字または図形画像を表示する。携帯端末２は、ＨＴＭＬ５等で記述された制御データを受信した場合、受信した制御データに基づいて所定の制御を実行する。携帯端末２は、ユーザによる操作を受付けた場合、受付けた操作に応じた各種の制御を実行する。
【００２２】
表示装置３は、例えば、外部の送信装置から送信された放送番組に対応する放送データを受信し、受信した放送データを表示するテレビ受像機である。表示装置３は、サーバ４から送信された、ＨＴＭＬ５等で記述された文字データ又は図形画像データを受信した場合、受信した文字データ又は図形画像データに基づいて文字または図形画像を表示する。表示装置３は、サーバ４から送信された、ＨＴＭＬ５等で記述された制御データを受信した場合、受信した制御データに基づいて所定の制御を実行する。
【００２３】
サーバ４は、例えば、放送事業者が所有するワークステーション等の情報処理装置である。サーバ４は、携帯端末２及び表示装置３にネットワークを介してデータを送信し、携帯端末２及び表示装置３からネットワークを介してデータを受信する。
【００２４】
以下、図１を参照して、制御システム１の概略を説明する。
【００２５】
表示装置３は、当該表示装置を一意に識別するための表示装置識別情報等に基づいて生成された識別用画像Ｍを表示する。識別用画像Ｍは、例えば、ＱＲ（Ｑｕｉｃｋ  Ｒｅｓｐｏｎｓｅ）コード（登録商標）等の二次元コードである。識別用画像Ｍは、少なくとも表示装置識別情報に基づいて生成された画像であればどのような情報でもよく、例えば、一次元バーコード、静止画像、動画像、又は、数字若しくは文字等のテキストを示す画像でもよい。
【００２６】
携帯端末２は、ユーザによる撮影操作に応じて、表示装置３に表示された識別用画像Ｍを撮影した場合、撮影によって得られた識別用画像Ｍを示す画像データに基づいて、表示装置識別情報を取得する。例えば、識別用画像Ｍが二次元バーコードである場合、携帯端末２は、所定のデコード方法によって識別用画像Ｍを表示装置識別情報に変換することで、表示装置識別情報を取得する。
【００２７】
携帯端末２は、表示装置識別情報を取得した時に、携帯端末２が存在する位置を示す位置情報を取得する。位置情報は、例えば、緯度、経度、高度等を示す情報であり、携帯端末２に内蔵されるＧＰＳ（Ｇｌｏｂａｌ  Ｐｏｓｉｔｉｏｎｉｎｇ  Ｓｙｓｔｅｍ）部から出力された出力値である。ＧＰＳ部は、ＧＰＳ衛星から受信したＧＰＳ信号に基づいて位置情報を演算する。携帯端末２は、外部のＧＰＳ装置と接続するインタフェースを有してもよい。この場合、位置情報は、携帯端末２に取り付けられたＧＰＳ装置から出力された出力値であってもよい。
【００２８】
携帯端末２は、表示装置識別情報及び位置情報を取得すると、取得した表示装置識別情報及び位置情報をサーバ４に送信する（図１の（１））。送信先のサーバ４は、サーバ識別情報によって識別されるサーバ４である。サーバ識別情報は、撮影によって得られた識別用画像Ｍを示す画像データに基づいて取得されるものでもよい。この場合、識別用画像Ｍは、表示装置識別情報及びサーバ識別情報に基づいて生成される。サーバ識別情報は、予め携帯端末２に記憶された情報、又は、ユーザによって携帯端末２に入力された情報でもよい。
【００２９】
サーバ４は、携帯端末２から送信された表示装置識別情報及び位置情報を受信すると、受信した位置情報に対応する表示情報を抽出する（図１の（２））。
【００３０】
図１に示すように、サーバ４は、複数のエリア情報のそれぞれに関連付けられた表示情報を記憶する。エリア情報は、地理的な範囲（行政区域（市区町村等）、放送対象地域等）を示す情報であり、地理的な範囲の形状を示すベクトル情報である。例えば、地理的な範囲が市区町村である場合、ベクトル情報は、各市区町村の地理的形状を形成するための境界線を示す複数の緯度及び経度の情報である。
【００３１】
サーバ４は、複数のエリア情報の内から、受信した位置情報を含む地理的な範囲を示すエリア情報を特定し、特定したエリア情報に関連付けられた表示情報を抽出する。サーバ４は、抽出した表示情報を、携帯端末２から受信した表示装置識別情報によって示される表示装置３に送信する（図１の（３））。そして、表示装置３は、サーバから送信された表示情報を受信して、受信した表示情報を表示する。このように、サーバ４は、携帯端末２の位置情報に対応するエリア情報に関連付けられた表示情報を抽出し、抽出した表示情報を表示装置３に送信する。
【００３２】
以上、図１を参照しつつ説明したとおり、制御システム１の表示装置３は、ユーザに対して、当該ユーザが所有する携帯端末２の位置情報に応じた表示情報を表示することができる。この制御システム１によって、ユーザの位置に応じた情報を、表示装置を介してユーザに提供することが可能となる。
【００３３】
なお、上述した図１の説明は、本発明の内容への理解を深めるための説明にすぎない。本発明は、具体的には、次に説明する各実施形態において実施され、且つ、本発明の原則を実質的に超えずに、さまざまな変形例によって実施されてもよい。このような変形例はすべて、本発明および本明細書の開示範囲に含まれる。
【００３４】
図２は、制御システム１の概略構成の一例を示す図である。
【００３５】
制御システム１は、携帯端末２と、表示装置３と、サーバ４と、送信装置５とを備える。携帯端末２と表示装置３とサーバ４とは、ネットワーク６を介して通信可能に接続される。携帯端末２及びサーバ４は、種々のデータを相互に送受信可能であり、表示装置３及びサーバ４は、種々のデータを相互に送受信可能である。また、表示装置３は送信装置５から送信された放送信号を受信する。
【００３６】
図３は、携帯端末２の概略構成の一例を示す図である。
【００３７】
携帯端末２は、端末記憶部２１と、端末操作部２２と、端末通信部２３と、端末表示部２４と、端末撮影部２５と、ＧＰＳ部２６と、端末処理部２７とを備える。
【００３８】
端末記憶部２１は、プログラムまたはデータを記憶するためのデバイスであり、例えば、半導体メモリ装置を備える。端末記憶部２１は、端末処理部２７による処理に用いられるオペレーティングシステムプログラム、ドライバプログラム、アプリケーションプログラム、データ等を記憶する。
【００３９】
端末操作部２２は、ユーザによる携帯端末２の操作を受付けるためのデバイスであり、例えば、タッチパネル、キーパッド等である。端末操作部２２は、ユーザによる文字、数字、記号等の入力操作を受付ける。端末操作部２２は、ユーザによる操作を受付けた場合、その操作に対応する信号を生成し、端末処理部２７に送信する。
【００４０】
端末通信部２３は、ネットワーク６を介して携帯端末２をサーバ４と通信可能にする通信インタフェース回路を備える。端末通信部２３が備える通信インタフェース回路は、ＬＴＥ（Ｌｏｎｇ  Ｔｅｒｍ  Ｅｖｏｌｕｔｉｏｎ）又は無線ＬＡＮ（Ｌｏｃａｌ  Ａｒｅａ  Ｎｅｔｗｏｒｋ）の通信インタフェース回路等である。端末通信部２３は、端末処理部２７から供給されたデータをサーバ４に送信し、サーバ４から送信されたデータを受信する。
【００４１】
端末表示部２４は、携帯端末２のユーザに対して画像等を表示するデバイスであり、例えば、液晶ディスプレイや有機ＥＬディスプレイである。端末表示部２４は、例えば、タッチパネルのような端末操作部２２と一体化されたデバイスでもよい。端末処理部２７から供給されるデータに応じた画像等を表示する。
【００４２】
端末撮影部２５は、結像光学系、撮像素子及び画像処理部等を備える。結像光学系は、例えば光学レンズであり、被写体からの光束を撮像素子の撮像面上に結像させる。撮像素子は、ＣＣＤ（Ｃｈａｒｇｅ  Ｃｏｕｕｐｌｅｄ  Ｄｅｖｉｃｅ）又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等であり、撮像面上に結像した被写体像の画像信号を出力する。画像処理部は、撮像素子によって生成された画像信号から所定のファイル形式の画像データを作成して出力する。例えば、端末撮影部２５は、表示装置３に表示された識別用画像Ｍを撮影した画像に係る画像データを作成して端末処理部２７に供給する。
【００４３】
ＧＰＳ部２６は、主に１．５ＧＨｚ帯を感受帯域とするアンテナを含む、ＧＰＳ回路を有し、不図示のＧＰＳ衛星からＧＰＳ信号を受信する。ＧＰＳ部２６は、そのＧＰＳ信号をデコードし、時刻情報等を取得する。次に、ＧＰＳ部２６は、その時刻情報等に基づいてＧＰＳ衛星から携帯端末２までの擬似距離を計算し、その擬似距離を代入して得られる連立方程式を解くことにより、携帯端末２が存在する位置（緯度、経度、高度等）を検出する。そして、ＧＰＳ部２６は、検出した位置を示す位置情報と取得した位置時刻情報とを関連付けて所定のＧＰＳ出力時間ごとに出力する。所定のＧＰＳ出力時間は、例えば、１／１０秒、１／５秒、１／２秒等である。
【００４４】
端末処理部２７は、一又は複数個のプロセッサ及びその周辺回路を備える。端末処理部２７は、例えばＣＰＵ（Ｃｅｎｔｒａｌ  Ｐｒｏｃｅｓｓｉｎｇ  Ｕｎｉｔ）であり、携帯端末２の動作を統括的に制御する。端末処理部２７は、端末記憶部２１に記憶されているプログラムや端末操作部２２の操作に基づいて携帯端末２の各種処理が適切な手順で実行されるように、端末表示部２４や端末通信部２３の動作を制御する。端末処理部２７は、端末記憶部２１に記憶されているプログラムに基づいて処理を実行する。また、端末処理部２７は、複数のプログラムを並列に実行することができる。
【００４５】
端末処理部２７は、画像取得部２７１と、位置取得部２７２と、端末表示処理部２７３と、端末送信部２７４と、端末受信部２７５とを備える。これらの各部は、端末処理部２７が実行するプログラムによって実現される機能モジュールである。または、これらの各部は、ファームウェアとして携帯端末２に実装されてもよい。
【００４６】
図４は、表示装置３の概略構成の一例を示す図である。
【００４７】
表示装置３は、放送受信部３０１と、多重分離部３０２と、デコーダ部３０３と、音声出力部３０４と、表示制御部３０５と、画像重畳部３０６と、表示部３０７と、通信部３０８と、記憶部３０９とを備える。
【００４８】
放送受信部３０１は、外部の送信装置から送信された放送信号を受信し、表示制御部３０５からの選局指示に含まれるチャンネルに対応する放送信号を抽出する。放送信号は、例えば、放送データを含むＴＳ（Ｔｒａｎｓｐｏｒｔ  Ｓｔｒｅａｍ）信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調した信号である。放送信号は、ＴＳ信号をＱＡＭ（Ｑｕａｄｒａｔｕｒｅ  Ａｍｐｌｉｔｕｄｅ  Ｍｏｄｕｌａｔｉｏｎ）変調したものでもよい。放送受信部３０１は、抽出した放送信号をＴＳ信号に復調することで、放送信号を抽出する。
【００４９】
多重分離部３０２は、放送受信部３０１が復調したＴＳ信号を受け取り、ＴＳ信号に含まれる放送画像データ、音声データ及び放送情報データを分離する。多重分離部３０２は、放送画像データ及び音声データをデコーダ部３０３に送出するとともに、放送情報データを表示制御部３０５に送出する。
【００５０】
デコーダ部３０３は、多重分離部３０２から受け取った放送画像データ及び音声データを復号する。デコーダ部３０３は、復号した放送画像データを画像重畳部３０６に送出するとともに、復号した音声データを音声出力部３０４に送出する。
【００５１】
音声出力部３０４は、例えば、スピーカである。音声出力部３０４は、デコーダ部３０３から受け取った音声データを音声として出力する。
【００５２】
表示制御部３０５は、一又は複数個のプロセッサ及びその周辺回路を備える。表示制御部３０５は、表示装置３の全体的な動作を統括的に制御するものであり、例えば、ＣＰＵである。表示制御部３０５は、多重分離部３０２から受け取った放送情報データに基づいて、図形画像データ及び文字データを生成し、画像重畳部３０６に送出する。
【００５３】
また、表示制御部３０５は、通信部３０８を介して放送情報データに含まれるサーバ識別情報によって識別されるサーバ４に対して、識別用画像Ｍを少なくとも含む画面を表示するための画面情報の送信要求を送信する。サーバ識別情報は、例えば、ＵＲＬ（Ｕｎｉｆｏｒｍ  Ｒｅｓｏｕｒｃｅ  Ｌｏｃａｔｏｒ）である。サーバ４が送信要求に応じて識別用画像データを送信した場合、表示制御部３０５は、受信した識別用画像データに基づいて、識別用画像Ｍを表示するための画像データを生成し、画像重畳部３０６に送出する。
【００５４】
また、表示制御部３０５は、サーバ４から送信された表示情報を表示する。例えば、表示制御部３０５は、通信部３０８を介してサーバ４から受信した表示情報に基づいて、記憶部３０９に記憶されたブラウザアプリケーションプログラムを実行し、表示情報に応じた画面を表示する。
【００５５】
また、表示制御部３０５は、サーバ４から送信された制御情報に応じた制御を実行する。例えば、表示制御部３０５は、通信部３０８を介してサーバ４から受信した制御情報に基づいて、記憶部３０９に記憶されたアプリケーションプログラムを特定し、特定されたアプリケーションプログラムを実行することにより制御情報に応じた制御を実行する。
【００５６】
また、表示制御部３０５は、赤外線受信回路を備える赤外線受信部（図示せず）と接続する。赤外線受信部が赤外線リモコン等の操作装置から信号を受信すると、表示制御部３０５は、受信した信号に応じた制御を実行する。例えば、表示制御部３０５は、操作装置から選局信号を受信した場合、選局信号に対応するチャンネルの放送信号を抽出する選局指示を放送受信部３０１に送出する。
【００５７】
画像重畳部３０６は、表示制御部３０５から受け取った図形画像データ及び文字データ等と、デコーダ部３０３から受け取った放送画像データとを重畳して画像データを作成し、作成した画像データを表示部３０７に送出する。また、画像重畳部３０６は、識別用画像Ｍを表示するためのデータを表示制御部３０５から受け取った場合、識別用画像Ｍを含む画面を表示するための画像データを作成し、作成した画像データを表示部３０７に送出する。また、画像重畳部３０６は、表示情報を表示制御部３０５から受け取った場合、表示情報に応じた画面を表示するための画像データを作成し、作成した画像データを表示部３０７に送出する。
【００５８】
表示部３０７は、例えば、液晶ディスプレイ又は有機ＥＬディスプレイである。表示部３０７は、画像重畳部３０６から受け取った画像データを表示出力する。
【００５９】
通信部３０８は、ネットワーク６を介して表示装置３をサーバ４と通信可能にする通信インタフェース回路を備える。通信部３０８が備える通信インタフェース回路は、例えば、有線ＬＡＮ又は無線ＬＡＮの通信インタフェース回路である。通信部３０８は、サーバ４から受信したデータを表示制御部３０５に供給し、表示制御部３０５から供給されたデータをサーバ４に送信する。
【００６０】
記憶部３０９は、例えば、半導体メモリ装置を備える。記憶部３０９は、表示制御部３０５での処理に用いられるプログラム、データ等を記憶する。特に、記憶部３０９は、各種アプリケーションプログラムを記憶する。
【００６１】
図５は、サーバ４の概略構成の一例を示す図である。サーバ４は、サーバ記憶部４１と、サーバ通信部４２と、サーバ処理部４３とを備える。
【００６２】
サーバ記憶部４１は、プログラムまたはデータを記憶するためのデバイスであり、例えば、半導体メモリ装置を備える。サーバ記憶部４１は、サーバ処理部４３による処理に用いられるオペレーティングシステムプログラム、ドライバプログラム、アプリケーションプログラム、データ等を記憶する。サーバ記憶部４１は、データとして登録携帯端末テーブル、サーバ４を識別するためのサーバ識別情報等を記憶する。
【００６３】
図６（ａ）は、登録携帯端末テーブルのデータ構造の一例を示す図である。
【００６４】
登録携帯端末テーブルには、端末識別情報と表示装置識別情報と有効期限とが互いに関連付けて記憶されている。端末識別情報は、携帯端末２を識別するための情報である。表示装置識別情報は、表示装置３を識別するための情報である。
【００６５】
登録携帯端末テーブルに記憶される携帯端末識別情報は、後述する表示要求を送信した携帯端末２を識別するための携帯端末識別情報である。登録携帯端末テーブルに記憶される表示装置識別情報は、表示要求に含まれる表示装置識別情報である。有効期限は、携帯端末２が表示装置３を制御することができる期間を示す情報である。有効期限は、例えば、表示要求を受信した時刻から所定期間（例えば、２４時間）を示す情報である。なお、有効期限は、携帯端末２が表示装置３を制御することができる期間の終了時刻を示す情報でもよい。
【００６６】
有効期限が経過した場合、当該有効期限と当該有効期限に関連付けられた携帯端末識別情報及び表示装置識別情報とが登録携帯端末テーブルから削除される。又は、有効期限が経過した場合、当該有効期限に関連付けられた携帯端末識別情報及び表示装置識別情報の使用を無効とする情報が、登録携帯端末テーブルにおいて、当該有効期限に関連付けて記憶されてもよい。このように、有効期限が経過した場合、携帯端末２は表示装置３を制御できないようになる。
【００６７】
図６（ｂ）は、表示情報テーブルのデータ構造の一例を示す図である。
【００６８】
表示情報テーブルには、エリア情報と表示情報名と端末表示情報名とが互いに関連付けて記憶されている。
【００６９】
エリア情報は、地理的な範囲の形状を示すベクトル情報である。図６（ｂ）に示す例では、エリア情報として複数の緯度及び経度を示す情報が記憶されている。複数の緯度及び経度のそれぞれが示す点を、表示情報テーブルの記憶の順番に直線で結び、最後に記憶された緯度及び経度と最初に記憶された緯度及び経度とを直線で結ぶことで地理的な範囲を示す閉領域が形成される。
【００７０】
表示情報名は、例えば、サーバ記憶部４１に記憶された表示情報を示すファイル名であり、制御画面表示情報名は、例えば、サーバ記憶部４１に記憶された制御画面表示情報を示すファイル名である。
【００７１】
表示情報テーブルによって、サーバ記憶部４１に記憶された表示情報及び制御画面表示情報は、エリア情報に関連付けてサーバ記憶部４１に記憶される。
【００７２】
図５に戻り、サーバ通信部４２は、ネットワーク６を介してサーバ４を携帯端末２及び表示装置３と通信可能にする通信インタフェース回路を備える。サーバ通信部４２が備える通信インタフェース回路は、例えば、有線ＬＡＮ又は無線ＬＡＮの通信インタフェース回路である。サーバ通信部４２は、携帯端末２又は表示装置３から受信したデータをサーバ処理部４３に供給し、サーバ処理部４３から供給されたデータを携帯端末２又は表示装置３に送信する。
【００７３】
サーバ処理部４３は、一又は複数個のプロセッサ及びその周辺回路を備える。サーバ処理部４３は、例えばＣＰＵであり、サーバ４の動作を統括的に制御する。サーバ処理部４３は、サーバ記憶部４１に記憶されているプログラムに基づいてサーバ４の各種処理が適切な手順で実行されるように、サーバ通信部４２の動作を制御する。サーバ処理部４３は、サーバ記憶部４１に記憶されているプログラムに基づいて処理を実行する。また、サーバ処理部４３は、複数のプログラムを並列に実行することができる。
【００７４】
サーバ処理部４３は、サーバ受信部４３１と、生成部４３２と、登録部４３３と、サーバ送信部４３４と、抽出部４３５とを備える。これらの各部は、サーバ処理部４３が実行するプログラムによって実現される機能モジュールである。また、これらの各部は、ファームウェアとしてサーバ４に実装されてもよい。
【００７５】
以下、携帯端末２の端末表示部２４及び表示装置３の表示部３０７に表示される各種画面について説明する。
【００７６】
図７（ａ）は、エリア情報によって示される地理的な範囲が「○○市」である場合における、表示情報に基づく画面７００の一例を示す図である。画面７００は、表示装置３の表示部３０７に表示される。
【００７７】
画面７００には、放送画像データに基づく放送画像とともに、オブジェクト７０１が含まれる。図７（ａ）に示す例では、２つのオブジェクト７０１が画面７００に含まれている。画面７００に含まれるオブジェクト７０１の数は、１つでも３つ以上でもよい。
【００７８】
オブジェクト７０１には、表示装置３の記憶部３０９に記憶されているアプリケーションプログラムが対応付けられている。表示装置３の表示制御部３０５は、ユーザによる操作装置の操作に応じたオブジェクト７０１の選択情報を取得すると、当該オブジェクト７０１に対応するアプリケーションプログラムを実行する。例えば、「○○市」のニュース情報を表示するためのアプリケーションプログラムＡが実行されると、「○○市」のニュース情報を取得するための指示情報が表示装置３からサーバ４に送信される。表示装置３は、サーバ４から「○○市」のニュース情報を受信すると、アプリケーションプログラムＡによって表示された所定の画面フォーマットに従って、「○○市」のニュース情報を表示する。
【００７９】
図７（ｂ）は、エリア情報によって示される地理的な範囲が「○○市」である場合における、制御画面表示情報に基づく制御画面７１０の一例を示す図である。制御画面７１０は、携帯端末２の端末表示部２４に表示される。
【００８０】
制御画面７１０には、制御オブジェクト７１１が含まれる。図７（ｂ）に示す例では、２つの制御オブジェクト７１１が制御画面７１０に含まれている。制御画面７１０に含まれる制御オブジェクト７１１の数は、１つでも３つ以上でもよい。
【００８１】
各制御オブジェクト７１１は、画面７００に含まれる各オブジェクト７０１に対応する。ユーザによる端末操作部２２の操作に応じて制御オブジェクト７１１が選択された場合、選択された制御オブジェクト７１１を示す識別情報を含む制御情報が、携帯端末２からサーバ４に送信される。そして、制御情報は、サーバ４から表示装置３に送信され、表示装置３の表示制御部３０５は、制御情報を受信すると、ユーザによって選択された制御オブジェクト７１１に対応するオブジェクト７０１のアプリケーションプログラムを実行する。
【００８２】
図７（ｃ）は、エリア情報によって示される地理的な範囲が「××市」である場合における、表示情報に基づく画面７２０の一例を示す図である。画面７２０は、表示装置３の表示部３０７に表示される。
【００８３】
画面７２０には、放送画像データに基づく放送画像とともに、オブジェクト７２１が含まれる。図７（ｃ）に示す例では、２つのオブジェクト７２１が画面７２０に含まれている。画面７２０に含まれるオブジェクト７２１の数は、１つでも３つ以上でもよい。
【００８４】
オブジェクト７２１には、表示装置３の記憶部３０９に記憶されているアプリケーションプログラムが対応付けられている。表示装置３の表示制御部３０５は、ユーザによる操作装置の操作に応じたオブジェクト７２１の選択情報を取得すると、当該オブジェクト７２１に対応するアプリケーションプログラムを実行する。例えば、「××市」のニュース情報を表示するためのアプリケーションプログラムＡが実行されると、「××市」のニュース情報を取得するための指示情報が表示装置３からサーバ４に送信される。表示装置３は、サーバ４から「××市」のニュース情報を受信すると、アプリケーションプログラムＡによって表示された所定の画面フォーマットに従って、「××市」のニュース情報を表示する。
【００８５】
図７（ｄ）は、エリア情報によって示される地理的な範囲が「××市」である場合における、制御画面表示情報に基づく制御画面７３０の一例を示す図である。制御画面７３０は、携帯端末２の端末表示部２４に表示される。
【００８６】
制御画面７３０には、制御オブジェクト７３１が含まれる。図７（ｄ）に示す例では、２つの制御オブジェクト７３１が制御画面７３０に含まれている。制御画面７３０に含まれる制御オブジェクト７３１の数は、１つでも３つ以上でもよい。
【００８７】
各制御オブジェクト７３１は、制御画面７３０に含まれる各オブジェクト７２１に対応する。ユーザによる端末操作部２２の操作に応じて制御オブジェクト７３１が選択された場合、選択された制御オブジェクト７３１を示す識別情報を含む制御情報が、携帯端末２からサーバ４に送信される。そして、制御情報は、サーバ４から表示装置３に送信され、表示装置３の表示制御部３０５は、制御情報を受信すると、ユーザによって選択された制御オブジェクト７３１に対応するオブジェクト７２１のアプリケーションプログラムを実行する。
【００８８】
図８は、制御システム１における制御処理の動作シーケンスの一例を表すシーケンス図である。
【００８９】
この動作シーケンスは、予め端末記憶部２１、記憶部３０９及びサーバ記憶部４１に記憶されているプログラムに基づいて、主に端末処理部２７、表示制御部３０５及びサーバ処理部４３により、携帯端末２、表示装置３及びサーバ４の各要素と協働して実行される。
【００９０】
最初に、表示装置３の表示制御部３０５は、通信部３０８を介してサーバ４に識別用画像送信要求と表示装置３の表示装置識別情報とを送信する（ステップＳ１０１）。例えば、表示制御部３０５は、操作装置から所定のチャンネルを選局する選局信号を受信し、当該選局信号に対応するチャンネルの放送信号から取得した放送データ内に含まれるサーバ識別情報を抽出する。表示制御部３０５は、サーバ識別情報を抽出すると、抽出したサーバ識別情報によって識別されるサーバ４に、識別用画像送信要求を送信する。所定のチャンネルは、例えば、サーバ４を所有する放送事業者が管理する送信装置によって送信された放送信号に係るチャンネルである。
【００９１】
サーバ４のサーバ受信部４３１によって、サーバ通信部４２を介して表示装置３から識別用画像送信要求及び表示装置識別情報が受信されると、サーバ４の生成部４３２は、識別用画像データを生成する（ステップＳ１０２）。例えば、生成部４３２は、受信した表示装置識別情報をサーバ受信部４３１から受け取ると、サーバ記憶部４１に記憶されたサーバ識別情報を抽出する。生成部４３２は、受け取った表示装置識別情報と抽出したサーバ識別情報に基づいて、識別用画像Ｍを表示するための識別用画像データを生成する。
【００９２】
サーバ４のサーバ送信部４３４は、生成部４３２によって生成された識別用画像データを、サーバ通信部４２を介して表示装置３に送信する（ステップＳ１０３）。送信先の表示装置３は、サーバ受信部４３１によって識別用画像送信要求とともに受信された表示装置識別情報によって示される表示装置３である。
【００９３】
表示装置３の表示制御部３０５は、通信部３０８を介してサーバ４から識別用画像データを受信すると、受信した識別用画像データに基づいて、識別用画像Ｍを表示するための画像データを生成し、画像重畳部３０６に送出する。画像重畳部３０６は、受け取った画像データを表示部３０７に送出し、表示部３０７は、画像重畳部３０６から受け取った画像データを表示出力することで、識別用画像Ｍを表示する（ステップＳ１０４）。
【００９４】
表示部３０７に識別用画像Ｍが表示されている時に、携帯端末２の画像取得部２７１は、端末撮影部２５の撮影によって得られた識別用画像Ｍ（ステップＳ１０５）を示す画像データに基づいて、表示装置識別情報を取得する（ステップＳ１０６）。
【００９５】
画像取得部２７１によって表示装置識別情報が取得された時に、携帯端末２の位置取得部２７２は、ＧＰＳ部２６から出力された位置情報を取得する（ステップＳ１０７）。
【００９６】
携帯端末２の端末送信部２７４は、取得された表示装置識別情報及び位置情報並びに携帯端末２の端末識別情報を含む表示要求を、端末通信部２３を介してサーバ４に送信する（ステップＳ１０８）。
【００９７】
サーバ４のサーバ受信部４３１によって、サーバ通信部４２を介して携帯端末２から表示要求が受信されると、サーバ４の登録部４３３は登録処理を実行する（ステップＳ１０９）。登録処理では、例えば、登録部４３３は、表示要求に含まれる端末識別情報及び表示装置識別情報と、表示要求を受信した受信時刻から所定時間が経過した後の時刻を示す有効期限とを、互いに関連付けて登録携帯端末テーブルに記憶する。なお、有効期限は、表示要求を受信した受信時刻から終了時刻までの期間を示す情報であってもよい。
【００９８】
登録処理が実行されると、サーバ４の抽出部４３５は抽出処理を実行する（ステップＳ１１０）。抽出処理では、例えば最初に、抽出部４３５は、表示情報テーブルを参照し、複数のエリア情報の内から、表示要求に含まれる位置情報を含む地理的な範囲（閉領域）を示すエリア情報を特定する。そして、抽出部４３５は、特定したエリア情報に関連付けられた表示情報及び制御画面表示情報を抽出する。
【００９９】
サーバ４のサーバ送信部４３４は、抽出された表示情報を、サーバ通信部４２を介して表示装置３に送信する（ステップＳ１１１）とともに、抽出された制御画面表示情報を、サーバ通信部４２を介して携帯端末２に送信する（ステップＳ１１２）。
【０１００】
表示装置３の表示制御部３０５は、通信部３０８を介してサーバ４から表示情報を受信すると、受信した表示情報に基づいて、画面７００又は７２０等を表示するための画像データを生成し、画像重畳部３０６に送出する。画像重畳部３０６は、受け取った画像データを表示部３０７に送出し、表示部３０７は、画像重畳部３０６から受け取った画像データを表示出力することで、表示情報に基づく画面７００又は７２０等を表示する（ステップＳ１１３）。
【０１０１】
携帯端末２の端末受信部２７５によって、端末通信部２３を介して制御画面表示情報を受信すると、端末表示処理部２７３は、制御画面表示情報に基づく制御画面７１０又は７３０等を端末表示部２４に表示する（ステップＳ１１４）。
【０１０２】
端末送信部２７４は、ユーザによる端末操作部２２に操作に応じて制御オブジェクトが選択された（ステップＳ１１５）場合、選択された制御オブジェクトを示す識別情報を含む制御情報を、端末通信部２３を介してサーバ４に送信する（ステップＳ１１６）。
【０１０３】
サーバ４のサーバ受信部４３１によって、サーバ通信部４２を介して携帯端末２から制御情報が受信されると、サーバ４のサーバ送信部４３４は、制御情報を、サーバ通信部４２を介して表示装置３に送信する（ステップＳ１１７）。なお、サーバ送信部４３４によって送信される制御情報は、ユーザによって選択された制御オブジェクトに対応するオブジェクトのアプリケーションプログラムが実行されるものであれば、携帯端末２から受信した制御情報とは異なる情報であってもよい。
【０１０４】
表示制御部３０５は、通信部３０８を介してサーバ４から受信した制御情報に基づいて、記憶部３０９に記憶されたアプリケーションプログラムを特定する。表示制御部３０５は、特定されたアプリケーションプログラムを実行することにより制御情報に応じた制御を実行する（ステップＳ１１８）。
【０１０５】
以上で説明したように、制御システム１が備える表示装置３は、ユーザに対して、当該ユーザが所有する携帯端末２の位置情報に応じた表示情報を表示することができる。この制御システム１によって、表示装置を介してユーザの位置に応じた情報をユーザに提供することが可能となる。
【０１０６】
（変形例１）
なお、携帯端末２の端末表示部２４によって表示される制御画面は、携帯端末の種別ごとに異なる制御画面が表示されてもよい。例えば、サーバ記憶部４１は、携帯端末の種別ごとに、それぞれ異なる制御画面を表示するための制御画面表示情報を記憶する。この場合、ステップＳ１０８において、携帯端末２の端末送信部２７４は、携帯端末２の種別情報を更に含む表示要求を、端末通信部２３を介してサーバ４に送信する。そして、抽出処理において、抽出部４３５は、表示要求に含まれる携帯端末の種別情報に対応する制御画面を表示するための制御画面表示情報を抽出する。このように、制御システム１は、各携帯端末２の種別に応じた制御画面を、各携帯端末２に提供することができる。この制御システム１によって、機種に応じた視認の容易な制御画面を提供することが可能になる。
【０１０７】
当業者は、本発明の精神及び範囲から外れることなく、様々な変更、置換、及び修正をこれに加えることが可能であることを理解されたい。
【符号の説明】
【０１０８】
１    制御システム
２    携帯端末
２１    端末記憶部
２２    端末操作部
２３    端末通信部
２４    端末表示部
２５    端末撮影部
２６    ＧＰＳ部
２７    端末処理部
２７１    画像取得部
２７２    位置取得部
２７３    端末表示処理部
２７４    端末送信部
２７５    端末受信部
３    表示装置
３０１    放送受信部
３０２    多重分離部
３０３    デコーダ部
３０４    音声出力部
３０５    表示制御部
３０６    画像重畳部
３０７    表示部
３０８    通信部
３０９    記憶部
４    サーバ
４１    サーバ記憶部
４２    サーバ通信部
４３１    サーバ受信部
４３２    生成部
４３３    登録部
４３４    サーバ送信部
４３５    抽出部
５    送信装置
【図１】
2020013356.tif 000003
【図２】
2020013356.tif 000004
【図３】
2020013356.tif 000005
【図４】
2020013356.tif 000006
【図５】
2020013356.tif 000007
【図６】
2020013356.tif 000008
【図７】
2020013356.tif 000009
【図８】
2020013356.tif 000010